(57)【要約】【課題】製品の評価を、多くの評価者から、容易に収集する。【解決手段】評価者が操作する評価者用端末では、webブラウザで表示される、製品で行われる表示に関する表示イメージについて評価者が入力する、評価を行う対象の評価領域と、評価領域に対する評価とが取得される。そして、評価者用端末では、評価領域と、その評価領域に対する評価とを対応付けたフィードバックデータがサーバに送信される。本技術は、製品の評価を行う場合に適用できる。【選択図】図１
2012256158.tif 000002
【特許請求の範囲】
【請求項１】
表示部で表示される、製品で行われる表示に関する表示イメージについてユーザが入力する、評価を行う対象の領域である評価領域と、前記評価領域に対する評価とを取得する取得部と、
前記評価領域と、前記評価領域に対する評価とを対応付けたデータであるフィードバックデータを送信する送信部と
を備える情報処理装置。
【請求項２】
前記表示イメージは、前記製品の仕様のデータから生成される
請求項１に記載の情報処理装置。
【請求項３】
前記製品の仕様のデータから、前記表示イメージのデータを生成する生成部をさらに備える
請求項２に記載の情報処理装置。
【請求項４】
前記表示部は、webブラウザであり、
前記生成部は、前記webブラウザで表示可能な前記表示イメージのデータを生成する
請求項３に記載の情報処理装置。
【請求項５】
前記表示イメージは、前記製品で表示されるUI(User Interface)の画面のイメージである画面イメージ、又は、画面の遷移を表すイメージである遷移イメージである
請求項２に記載の情報処理装置。
【請求項６】
前記評価は、前記評価領域に対する問題点を、少なくとも含む
請求項２に記載の情報処理装置。
【請求項７】
表示部で表示される、製品で行われる表示に関する表示イメージについてユーザが入力する、評価を行う対象の領域である評価領域と、前記評価領域に対する評価とを取得し、
前記評価領域と、前記評価領域に対する評価とを対応付けたデータであるフィードバックデータを送信する
ステップを含む情報処理方法。
【請求項８】
表示部で表示される、製品で行われる表示に関する表示イメージについてユーザが入力する、評価を行う対象の領域である評価領域と、前記評価領域に対する評価とを取得する取得部と、
前記評価領域と、前記評価領域に対する評価とを対応付けたデータであるフィードバックデータを送信する送信部と
して、コンピュータを機能させるためのプログラム。
【発明の詳細な説明】
【技術分野】
【０００１】
本技術は、情報処理装置、情報処理方法、及び、プログラムに関し、特に、例えば、製品の操作性等の評価を、容易に収集することができるようにする情報処理装置、情報処理方法、及び、プログラムに関する。
【背景技術】
【０００２】
例えば、アプリケーションプログラムのUI(User Interface)の開発ツールとして、アプリケーションプログラムを状態遷移図によって表示し、その状態遷移図に対するユーザの操作に応じて、状態遷移図に対する操作内容をアプリケーションプログラムに反映させることで、アプリケーションプログラムを編集する開発ツールがある。
【０００３】
さらに、状態遷移図の各状態において再生される動画ファイルやアニメーションを表示することにより、各状態において実際に実行される動作を確認しながら、アプリケーションプログラムを編集することができるUIの開発ツールも提案されている（例えば、特許文献１を参照）。
【０００４】
ところで、最近では、UIが高機能化（多様化）し、ユーザが希望する様々な操作を受け付けるUIを実現することが可能になっている。そのようなUIを、例えば、タブレット端末その他の表示を行う製品に採用することにより、製品の利便性を向上させることができる。
【０００５】
しかしながら、高機能なUIがユーザに要求する操作は、複雑な操作であることがあり、高機能なUIを採用する製品については、利便性が向上する一方で、ユーザが製品を使いこなすことが困難であることがある。
【０００６】
そこで、従来より、製品の使い勝手（操作性）に関する問題を解決するために、製品に採用するUIの評価が行われる。
【０００７】
製品のUIの評価は、製品の試作機（プロトタイプ）としての実機を製作し、評価を行う評価者としてのユーザに、試作機を操作してもらうことにより行われる。
【０００８】
したがって、製品のUIの評価を行うには、試作機を製作する必要があるが、試作機の製作には、そのためのコストを要する。
【０００９】
また、評価者の評価は、その評価者の主観的な評価であり、様々な観点からの評価が得られるが、統計的に信頼することができる評価を得るには、多くの評価者に評価を行ってもらう必要がある。
【００１０】
さらに、UIの評価には、評価者に、試作機の操作を指導する補助者を用意する必要がある。
【００１１】
そして、多数の試作機と補助者を用意することは、コストが多大になるため、短期間に、多数の評価者の評価を収集することは困難である。
【００１２】
また、試作機を製作するには、製品の仕様を、ある程度決定する必要があるため、製品の仕様を決定しながら（製品の設計を行いながら）、製品のUIの評価を行うことが難しい。
【００１３】
さらに、試作機の製作は、設計の終盤段階にならないと行われない傾向がある。そのため、UIの評価によって明らかになった、使い勝手に関する問題の修正については、次機種の製品まで反映することができないこと、すなわち、開発中の製品（機種）に反映することができないことがある。
【００１４】
以上のように、使い勝手に関する問題の修正を、次機種の製品まで反映することができないことは、製品の使い勝手を、効率的に向上させることの妨げとなる。
【先行技術文献】
【特許文献】
【００１５】
【特許文献１】特開2007-052517号公報
【発明の概要】
【発明が解決しようとする課題】
【００１６】
製品の使い勝手を、効率的に向上させるには、製品の仕様を検討する検討段階から、評価者が、製品の評価を行うことができる方法が必要であり、さらに、多くの評価者からの評価を収集することが必要である。
【００１７】
本技術は、このような状況に鑑みてなされたものであり、製品の操作性等の評価を、多くの評価者から、容易に収集することができるようにするものである。
【課題を解決するための手段】
【００１８】
本技術の一側面の情報処理装置、又は、プログラムは、表示部で表示される、製品で行われる表示に関する表示イメージについてユーザが入力する、評価を行う対象の領域である評価領域と、前記評価領域に対する評価とを取得する取得部と、前記評価領域と、前記評価領域に対する評価とを対応付けたデータであるフィードバックデータを送信する送信部とを備える情報処理装置、又は、情報処理装置として、コンピュータを機能させるためのプログラムである。
【００１９】
本技術の一側面の情報処理方法は、表示部で表示される、製品で行われる表示に関する表示イメージについてユーザが入力する、評価を行う対象の領域である評価領域と、前記評価領域に対する評価とを取得し、前記評価領域と、前記評価領域に対する評価とを対応付けたデータであるフィードバックデータを送信するステップを含む情報処理方法である。
【００２０】
以上のような一側面においては、表示部で表示される、製品で行われる表示に関する表示イメージについてユーザが入力する、評価を行う対象の領域である評価領域と、前記評価領域に対する評価とが取得され、前記評価領域と、前記評価領域に対する評価とを対応付けたデータであるフィードバックデータが送信される。
【００２１】
なお、情報処理装置は、独立した装置であっても良いし、１つの装置を構成している内部ブロックであっても良い。
【００２２】
また、プログラムは、伝送媒体を介して伝送することにより、又は、記録媒体に記録して、提供することができる。
【発明の効果】
【００２３】
本技術によれば、製品の操作性等の評価を、容易に収集することができる。
【図面の簡単な説明】
【００２４】
【図１】本技術を適用したフィードバックシステムの一実施の形態の構成例を示すブロック図である。
【図２】フィードバックシステムの処理の概要を説明する図である。
【図３】フィードバックシステムの処理の具体例を説明する図である。
【図４】端末１１のハートウェアの構成例を示すブロック図である。
【図５】端末１１の機能的な構成例を示すブロック図である。
【図６】仕様データ分析部５２において、仕様データを分析することにより得られる仕様分析データの例を示す図である。
【図７】端末１２の機能的な構成例を示すブロック図である。
【図８】プロトタイプデータとしてのHTMLのデータ（webページ）の生成を説明する図である。
【図９】webブラウザ６３が表示するwebページの表示例を示す図である。
【図１０】フィードバック用I/Fの機能、及び、構成要素を示す図である。
【図１１】フィードバックページの表示例を示す図である。
【図１２】評価ボタン１１１が操作されたときのフィードバックページの表示例を示す図である。
【図１３】評価ダイアログ１３２がクローズされたときのフィードバックページの表示例を示す図である。
【図１４】フィードバックページの他の表示例を示す図である。
【図１５】フィードバックページの、さらに他の表示例を示す図である。
【図１６】フィードバックデータ生成送信部６５が生成するフィードバックデータの例を示す図である。
【図１７】サーバ１３の機能的な構成例を示すブロック図である。
【図１８】フィードバックシステムの処理を説明する図である。
【発明を実施するための形態】
【００２５】
［本技術を適用したフィードバックシステムの一実施の形態］
【００２６】
図１は、本技術を適用したフィードバックシステム（システムとは、複数の装置が論理的に集合した物をいい、各構成の装置が同一筐体中にあるか否かは、問わない）の一実施の形態の構成例を示すブロック図である。
【００２７】
図１において、フィードバックシステムは、ネットワーク１０、端末１１及び１２、並びに、サーバ１３を有する。
【００２８】
フィードバックシステムでは、端末１１及び１２、並びに、サーバ１３が、ネットワーク１０を介して接続されており、端末１１を操作する製品の設計者に対して、端末１２を操作する製品の評価者による製品の評価がフィードバックされる。
【００２９】
すなわち、ネットワーク１０は、例えば、製品を開発する会社の社内LAN等の社内ネットワークであり、図１では、ネットワーク１０には、１台の端末１１、１台以上の端末１２、及び、サーバ１３が接続されている。
【００３０】
端末１１は、製品を設計する設計者としてのユーザ（ここでは、例えば、製品の会社の従業員）が操作する設計者用端末であり、設計者は、端末１１を操作することにより、製品の仕様を入力することができる。
【００３１】
端末１１は、設計者が端末１１を操作することにより入力した製品の仕様のデータを、ネットワーク１０に送信する。
【００３２】
端末１２は、製品を評価する評価者としてのユーザ（ここでは、例えば、エンドユーザの代わりとなる、設計者ではない会社の従業員）が操作する評価者用端末であり、ネットワーク１０から、製品の仕様のデータを受信し、そのデータに基づいて、製品で行われる表示に関する表示イメージを表示する。
【００３３】
評価者は、端末１２を操作することにより、製品（の表示イメージ）の評価を入力することができ、端末１２は、評価者が端末１２を操作することにより入力した評価を、ネットワーク１０に送信する。
【００３４】
サーバ１３は、ネットワーク１０から、端末１２が送信した製品の評価を受信して分析する。
【００３５】
そして、サーバ１３は、製品の評価の分析結果を、ネットワーク１０を介して、端末１１等に提供する。
【００３６】
端末１１を操作する設計者は、製品の評価の分析結果を参照して、製品の仕様の手直しをすることができる。
【００３７】
図２は、図１のフィードバックシステムの処理の概要を説明する図である。
【００３８】
設計者は、端末１１を操作することにより、製品の仕様を入力し、その仕様のデータを、ネットワーク１０を介して、１以上の評価者の端末１２に提供する。
【００３９】
端末１２では、端末１１からの製品の仕様のデータに基づいて、製品で行われる表示に関する表示イメージが表示される。
【００４０】
評価者は、端末１２に表示された表示イメージを見て、製品の操作性等の評価を、端末１２を操作することにより入力する。
【００４１】
端末１２は、評価者から入力された評価を、ネットワーク１０を介して、端末１１に提供（フィードバック）し、設計者は、評価者（の端末１２）からの評価のフィードバックを参照し、必要に応じて、製品の仕様の手直しをする。
【００４２】
図３は、図１のフィードバックシステムの処理の具体例を説明する図である。
【００４３】
設計者は、端末１１を操作することにより、製品の仕様を入力し、その仕様のデータを、ネットワーク１０を介して、１以上の評価者の端末１２に提供する。
【００４４】
ここで、図３では、設計者は、製品としてのタブレット端末の仕様を入力している。
【００４５】
端末１２は、端末１１からの仕様のデータを、例えば、webブラウザで、製品の表示イメージを表示することができる形式のデータである、HTML(Hyper Text Markup Language)等のデータに変換し、そのHTMLのデータに従って、表示イメージを、webブラウザで表示する。
【００４６】
ここで、表示イメージとは、製品で行われる表示に関するイメージであり、製品で表示される画面そのものの画面イメージと、製品で表示される画面の遷移を表した遷移イメージとがある。
【００４７】
評価者は、端末１２に表示された表示イメージを見て、例えば、アイコンが見にくい等の製品の問題点その他の評価を、端末１２を操作することにより入力する。
【００４８】
評価者が入力した評価は、端末１２から、ネットワーク１０を介して、サーバ１３に送信される。
【００４９】
サーバ１３は、以上のようにして、多数の端末１２から送信されてくる評価を収集して蓄積する。
【００５０】
サーバ１３に蓄積された多数の（端末１２の）評価者による評価は、サーバ１３から、端末１１に提供されることにより、端末１１の設計者にフィードバックされる。
【００５１】
設計者は、評価者による評価のフィードバックを参照し、必要に応じて、製品の仕様を検討している段階で、その仕様の手直しをすることができる。
【００５２】
［ハードウェアの構成例］
【００５３】
図４は、図１の端末１１のハードウェアの構成例を示すブロック図である。
【００５４】
図４において、端末１１は、バス２１、CPU(Central Processing Unit)２２、ROM(Read Only Memory)２３、RAM(Random Access Memory)２４、ハードディスク２５、出力部２６、入力部２７、通信部２８、ドライブ２９、入出力インターフェース３０、及び、リムーバブル記録媒体３１を有する。
【００５５】
CPU２２ないしハードディスク２５、及び、入出力インターフェース３０は、バス２１介して接続されている。CPU２２ないしハードディスク２５、及び、入出力インターフェース３０（に接続されているデバイス）は、バス２１を介して、相互に、データをやりとりすることができる。
【００５６】
また、入出力インターフェース３０には、出力部２６ないしドライブ２９が接続されており、したがって、CPU２２ないしドライブ２９は、バス２１や入出力インターフェース３０を介して、相互に、データをやりとりすることができる。
【００５７】
CPU２２は、ROM２３に記憶されたプログラムや、ハードディスク２５等から読み出されて、RAM２４に記憶（展開）されたプログラムを実行することにより、各種の処理を行う。
【００５８】
ROM２３は、例えば、EEPROM(Electrically Erasable Programmable ROM)等であり、端末１１の電源がオフにされたときも保持する必要があるデータやプログラムを記憶する。
【００５９】
RAM２４は、CPU２２の動作上必要なプログラムやデータを記憶する。
【００６０】
ハードディスク２５には、CPU２２が実行するプログラムや、各種のデータが記録される。
【００６１】
出力部２６は、例えば、液晶パネル等の表示装置、及び、スピーカ等であり、画像を表示し、音声を出力する。
【００６２】
入力部２７は、例えば、キーボードや、マウス等のポインティングデバイス等であり、ユーザによって操作され、その操作に応じたデータ（信号）を出力する。
【００６３】
通信部２８は、例えば、LAN(Local Area Network)等の通信インターフェースであり、外部の装置との、無線や有線での通信を制御する。
【００６４】
ドライブ２９には、DVD(Digital Versatile Disc)等の光ディスクや、USBメモリ等の半導体メモリであるリムーバブル記録媒体３１の着脱が可能になっている。
【００６５】
ドライブ２９は、そこに装着されたリムーバブル記録媒体３１を駆動することにより、リムーバブル記録媒体３１にデータを記録し、また、リムーバブル記録媒体３１からデータを読み出す。
【００６６】
入出力インターフェース３０は、各種のデバイスを、端末１１に接続するためのインターフェースとして機能する。図４では、上述したように、入出力インターフェース３０には、バス２１、出力部２６ないしドライブ２９が接続されているが、入出力インターフェース３０には、その他のデバイスを接続することが可能である。
【００６７】
以上のように構成される端末１１において、ハードディスク２５には、製品の画面の遷移の編集が可能なアプリケーションプログラムその他の、製品の仕様の入力、編集のためのプログラムがインストールされている。
【００６８】
CPU２２は、ハードディスク２５にインストールされているプログラムを実行することにより、各種の処理を行う。
【００６９】
なお、プログラムは、ハードディスク２５にあらかじめインストールしておくことができる。
【００７０】
また、プログラムは、リムーバブル記録媒体３１に格納（記録）しておき、リムーバブル記録媒体３１から端末１１にインストールすることができる。このようなリムーバブル記録媒体３１は、いわゆるパッケージソフトウエアとして提供することができる。
【００７１】
なお、プログラムは、リムーバブル記録媒体３１から端末１１にインストールする他、通信網や放送網を介して、端末１１にダウンロードし、内蔵するハードディスク２５にインストールすることができる。すなわち、プログラムは、例えば、ダウンロードサイトから、ディジタル衛星放送用の人工衛星を介して、端末１１に無線で転送することや、LAN、インターネットといったネットワークを介して、端末１１に有線で転送することができる。
【００７２】
ここで、端末１１の他、端末１２、及び、サーバ１３も、図４に示したように構成される。
【００７３】
但し、端末１１、端末１２、及び、サーバ１３それぞれでは、ハードディスク２５にインストールされているプログラムが異なる。
【００７４】
［端末１１の機能的構成例］
【００７５】
図５は、図１の端末１１の機能的な構成例を示すブロック図である。
【００７６】
端末１１は、CPU２２（図４）がプログラムを実行することにより、等価的に、図５の機能的構成となって、各種の処理を行う。
【００７７】
図５において、端末１１は、編集アプリケーション５１、仕様データ分析部５２、及び、表示部５３を有する。
【００７８】
編集アプリケーション５１は、設計者が、製品の仕様の入力、及び、編集を行うためのアプリケーションである。編集アプリケーション５１としては、設計図やダイアグラム等の作図を行うことができるアプリケーションであれば、既存のアプリケーション（例えば、Microsoft(R)社のPowerPoint(R) presentation graphics program等）を採用することができる。
【００７９】
端末１１を操作する設計者は、編集アプリケーション５１を用いて、製品の仕様としての、例えば、UIである、製品で表示される画面や、画面の遷移の仕方を表した画面遷移図等を作成する。
【００８０】
編集アプリケーション５１は、設計者の操作に応じて作成した製品の仕様の仕様データ（例えば、編集アプリケーション５１がPowerPoint(R)である場合には、そのPowerPoint(R)形式のファイル）を、仕様データ分析部５２に供給する。
【００８１】
仕様データ分析部５２は、編集アプリケーション５１からの仕様データを分析し、その分析の結果得られる、例えば、製品のUIの、いわば電子的なペーパープロトタイプ（のデータ）を生成するのに必要な仕様分析データ（中間データ）を出力する。
【００８２】
仕様データ分析部５２が出力する仕様分析データは、ネットワーク１０（図１）を介し、サーバ１３を経由して、端末１２に提供される。
【００８３】
なお、仕様データ分析部５２が出力する仕様分析データの、端末１２への提供は、サーバ１３を経由せずに、端末１１から、ネットワーク１０を介して、端末１２に直接行うことができる。また、仕様データ分析部５２では、編集アプリケーション５１からの仕様データをそのまま仕様分析データとして出力することができる。
【００８４】
表示部５３には、サーバ１３から、ネットワーク１０を介して、評価者による評価を分析した分析結果であるフィードバック分析情報が供給される。表示部５３は、サーバ１３から供給されるフィードバック分析情報を表示する。
【００８５】
図６は、図５の仕様データ分析部５２において、仕様データを分析することにより得られる仕様分析データの例を示す図である。
【００８６】
なお、図６では、仕様分析データを、表形式で表しており、１レコード（１行）のデータが、製品のUIの１画面（分）の仕様分析データになっている。
【００８７】
１画面の仕様分析データには、その仕様分析データが表す画面を特定するユニークなIDである画面IDが割り当てられ、複数の種類のデータが含まれる。
【００８８】
１画面の仕様分析データに含まれるデータの種類（データ種類）には、"Initioal Screen"，"Desc"，"Screen file path"，"Transitions"，"Width"，"Height"等がある。
【００８９】
"Initial Screen"は、対応する画面（その"Initial Screen"を含む仕様分析データが表す画面）が、製品のUIの電子的なペーパープロトタイプ（以下、電子ペーパープロトタイプともいう）の初期画面、すなわち、例えば、製品の初期画面であるかどうか（初期画面であることの真偽）を表す。
【００９０】
"Initial Screen"は、対応する画面が初期画面である場合は、"True"になり、対応する画面が初期画面でない場合は、"False"になる。
【００９１】
"Desc"は、対応する画面を説明する記述を表し、"Screen file path"は、対応する画面の画像ファイルへのパスを表す。
【００９２】
"Transitions"は、対応する画面からの遷移の情報を表す。
【００９３】
例えば、画面IDが"Screen_001"の画面の仕様分析データの"Transitions"のデータ[event1:screen_002]は、イベント名event1のイベントをトリガとして、画面IDが"Screen_001"の画面から、画面IDが"Screen_002"の画面に遷移することを表す。
【００９４】
ここで、"Transitions"のデータは、画面の遷移を生じさせるイベントのイベント名（図６のevent1やevent2）と、遷移先の画面を特定する画面ID（図６のscreen_002やscreen_001）とのセット（図６の[event1:screen_002]や[event2:screen_001]）になっている。
【００９５】
なお、仕様データ分析部５２（図５）では、"Transitions"のデータとして、イベントごとに、イベント名と画面IDとのセットが生成される。
【００９６】
"Width"と"Height"は、それぞれ、対応する画面を、電子ペーパープロトタイプとして表示するときの横（幅）と縦（高さ）のサイズ（画素数）を表す。
【００９７】
［端末１２の機能的構成例］
【００９８】
図７は、図１の端末１２の機能的な構成例を示すブロック図である。
【００９９】
端末１２は、CPU２２（図４）がプログラムを実行することにより、等価的に、図７の機能的構成となって、各種の処理を行う。
【０１００】
図７において、端末１２は、データ分析部６１、プロトタイプデータ生成部６２、webブラウザ６３、入力データ取得記憶部６４、及び、フィードバックデータ生成送信部６５を有する。
【０１０１】
データ分析部６１は、サーバ１３から、ネットワーク１０を介して、端末１１で生成された仕様分析データ（図６）を取得（受信）する。データ分析部６１は、仕様分析データを分析し、その分析結果を、プロトタイプデータ生成部６２に供給する。
【０１０２】
プロトタイプデータ生成部６２は、データ分析部６１からの仕様分析データの分析結果から、電子ペーパープロトタイプのデータ（以下、単に、プロトタイプデータともいう）を生成する。
【０１０３】
さらに、プロトタイプデータ生成部６２は、端末１２を操作する評価者が製品の（UIの）評価を（webブラウザ６３で）入力するためのUIであるフィードバック用I/F(Interface)を生成し（例えば、サーバ１３から取得し）、プロトタイプデータとともに、webブラウザ６３に供給する。
【０１０４】
ここで、プロトタイプデータ生成部６２では、プロトタイプデータ、及び、フィードバック用I/Fとして、webブラウザ６３で表示可能な（webブラウザ６３が解釈可能な）オブジェクト、すなわち、例えば、HTMLのデータを生成することができる。
【０１０５】
プロトタイプデータ、及び、フィードバック用I/FとしてのHTMLのデータは、例えば、webブラウザ６３で表示イメージを表示する領域（位置）を表すタグ（要素）や、表示イメージとしての画像ファイルを特定するタグ、表示イメージが画面イメージである場合に、その画面イメージから、遷移先の画面イメージへのリンクを表すタグ等を含む。
【０１０６】
webブラウザ６３は、例えば、既存のwebブラウザであり、表示イメージを表示する表示部として機能する。
【０１０７】
すなわち、webブラウザ６３は、プロトタイプデータ生成部６２から供給されるプロトタイプデータ、及び、フィードバック用I/FとしてのHTMLのデータを解釈し、そのデータに従って、電子ペーパープロトタイプとしての表示イメージが映った、その表示イメージに対する評価を入力するためのwebページを表示する。
【０１０８】
入力データ取得記憶部６４は、webブラウザ６３で表示されたwebページに映る表示イメージについて評価者が端末１２を操作することにより入力する入力データとしての、評価を行う対象の領域である評価領域（の情報）と、その評価領域に対する評価とを取得し、一時記憶する。
【０１０９】
フィードバックデータ生成送信部６５は、入力データ取得記憶部６４に記憶された評価領域と、その評価領域に対する評価とを対応付けたデータであるフィードバックデータを生成し、ネットワーク１０（図１）を介して、サーバ１３に送信する。
【０１１０】
したがって、サーバ１３では、製品の評価を、多くの評価者から、容易に収集することができる。
【０１１１】
なお、端末１２には、端末１１（図５）と同様に、サーバ１３がネットワーク１０を介して提供するフィードバック分析情報を表示する表示部５３と同様の表示部６６を設け、表示部６６において、サーバ１３からフィードバック分析情報を取得して表示することができる。
【０１１２】
図８は、図７のプロトタイプデータ生成部６２での、仕様分析データの分析結果からの、プロトタイプデータとしてのHTMLのデータ（webページ）の生成を説明する図である。
【０１１３】
例えば、図８に示すように、仕様分析データが、画面#1が表示されている場合において、ボタンAが操作されたときに、画面#2に遷移することを表すデータであるとする。
【０１１４】
ここで、図８において、画面#1から画面#2への矢印は、画面#1から画面#2に、画面が遷移することを表す矢印であり、以下、遷移矢印ともいう。
【０１１５】
また、図８において、遷移矢印に沿って記載されている記述「ボタンAを押す」は、その遷移矢印が表す遷移を生じさせる（トリガとなる）イベントを表す情報であり、以下、イベント情報ともいう。
【０１１６】
プロトタイプデータ生成部６２は、仕様分析データから、画面#1について、その画面#1の画面イメージとしての画像ファイルのファイル名(URI(Uniform Resource Identifier))をsrc属性で指定するimgタグを、プロトタイプデータとして生成するとともに、画面#2についても、その画面#2の画面イメージとしての画像ファイルのファイル名をsrc属性で指定するimgタグを、プロトタイプデータとして生成する。
【０１１７】
また、プロトタイプデータ生成部６２は、遷移矢印について、その遷移矢印に記述されているイベント情報「ボタンAを押す」に基づき、そのイベント情報が表すイベントに必要なボタンAの代用となる代用ボタン（の画像）を、プロトタイプデータとして生成する。
【０１１８】
さらに、プロトタイプデータ生成部６２は、遷移矢印については、遷移矢印と、その遷移矢印に記述されているイベント情報「ボタンAを押す」に基づき、代用ボタンが操作された場合に、画面#1（の画面イメージ）から画面#2（の画面イメージ）に、画面（の表示）を遷移させる処理を行うことを、イベントとしての代用ボタンの操作を処理するイベントハンドラ（<button>イベントハンドラ）に登録する。
【０１１９】
図９は、以上のようにして生成されたプロトタイプデータとしてのHTMLのデータに従って、webブラウザ６３（図７）が表示するwebページの表示例を示す図である。
【０１２０】
webブラウザ６３では、まず、電子ペーパープロトタイプとしての画面#1の画面イメージ、及び、ボタンAを代用する代用ボタンが表示される。
【０１２１】
評価者が代用ボタンを操作する（例えば、クリックする）と、webブラウザ６３は、画面#1の画面イメージに代えて、電子ペーパープロトタイプとしての画面#2の画面イメージを表示することにより、画面を遷移させる。
【０１２２】
図１０は、プロトタイプデータ生成部６２（図７）が生成するプロトタイプデータ、及び、フィードバック用I/FとしてのHTMLのデータに従って表示されるwebページのうちの、フィードバック用I/F（の部分）の機能、及び、構成要素を示す図である。
【０１２３】
プロトタイプデータ、及び、フィードバック用I/FとしてのHTMLのデータに従って表示されるwebページ（以下、フィードバックページともいう）のうちの、フィードバック用I/Fは、プロトタイプデータに対応する電子ペーパープロトタイプ（表示イメージ（画面イメージ、遷移イメージ）等）を表示する表示機能を有する。
【０１２４】
さらに、フィードバックページのフィードバック用I/Fは、電子ペーパープロトタイプの動作（画面の遷移等）を制御する制御機能、及び、電子ペーパープロトタイプの動作の履歴を管理し表示する履歴表示機能を有する。
【０１２５】
また、フィードバック用I/Fは、評価者が端末１２を操作することにより入力する、電子ペーパープロトタイプ（としての表示イメージ）上の、評価を行う対象の領域である評価領域を指定するための矩形状の枠である指定枠を配置する矩形配置機能を有する。
【０１２６】
さらに、フィードバック用I/Fは、矩形配置機能によって配置された指定枠によって指定される評価領域に対する評価、すなわち、評価領域に対して、評価者が設計者にフィードバックをしたい具体的な内容（問題点等）を、評価者が入力するための入力機能を有する。
【０１２７】
指定枠の形状としては、例えば、矩形の他、評価領域のサイズや形状に応じて、矩形以外の多角形を採用することができる。
【０１２８】
また、フィードバック用I/Fは、評価者が、評価（フィードバックの具体的内容）を、事前に準備されたリストに登録された項目の中から選択することで入力することができる選択リスト機能、及び、評価者が入力した評価（フィードバック結果）を、サーバ１３（図１）に送信する機能を有する。
【０１２９】
選択リスト機能は、評価者が評価として選択する項目が登録されたリストを有する、リストに登録される項目によってカテゴリ分けされたインターフェースである選択カテゴリインターフェースを提供する。
【０１３０】
選択カテゴリインターフェースとしては、評価（フィードバックする問題内容等）の属性を選択するための、その評価の属性が項目として登録されたリストを有する、カテゴリが評価の属性であるインターフェースがある。
【０１３１】
さらに、選択カテゴリインターフェースとしては、評価の原因を選択するための、その評価の原因が項目として登録されたリストを有する、カテゴリが評価の原因であるインターフェースがある。
【０１３２】
また、選択カテゴリインターフェースとしては、評価の現象を選択するための、その評価の現象が項目として登録されたリストを有する、カテゴリが評価の現象であるインターフェースがある。
【０１３３】
ここで、評価の属性とは、例えば、電子ペーパープロトタイプ上のテキストや、アイコン、ボタン等の、評価の対象となる評価領域上のインターフェース部品の種類を意味する。
【０１３４】
また、評価の原因とは、電子ペーパープロトタイプ上の評価の対象の、例えば、色が薄い、文字が小さい、言葉の意味が分からない等の、評価領域（評価の対象）に対する問題点の原因を意味する。
【０１３５】
さらに、評価の現象とは、電子ペーパープロトタイプ上の評価の対象の、例えば、文字が見えない、言葉の意味が分からない等の、評価領域（評価の対象）に対する問題点、すなわち、評価領域に生じている、ユーザが問題があると感じる現象を意味する。
【０１３６】
なお、選択カテゴリインターフェースとしては、評価の属性が項目として登録されたリストを有するインターフェース、評価の原因が項目として登録されたリストを有するインターフェース、及び、評価の現象が項目として登録されたリストを有するインターフェースの３つのインターフェースのうちの、評価の現象（問題点）が項目として登録されたリストを有するインターフェースが必須のインターフェースであり、他の２つのインターフェースは、任意のインターフェースである。
【０１３７】
図１１は、webブラウザ６３（図７）において、プロトタイプデータ、及び、フィードバック用I/FとしてのHTMLのデータに従って表示されるwebページ（フィードバックページ）の表示例を示す図である。
【０１３８】
図１１において、フィードバックページの左側には、プロトタイプデータに従って表示される電子ペーパープロトタイプとしての画面イメージ１０１と代用ボタン１０２とが配置されている。
【０１３９】
画面イメージ１０１は、製品の、ある画面のイメージであり、代用ボタン１０２は、画面イメージ１０１を、他の画面（イメージ）に遷移させるときに操作される。
【０１４０】
フィードバックページの左側の上方には、フィードバック用I/Fとしての評価ボタン１１１、リセットボタン１１２、及び、表示切り替えボタン１１３が配置されている。
【０１４１】
評価ボタン１１１は、評価領域を指定するときに操作される。リセットボタン１１２は、評価領域を指定する指定枠をリセットするときに操作される。表示切り替えボタン１１３は、フィードバックページ上での指定枠の表示と非表示とを切り替えるときに操作される。
【０１４２】
フィードバックページの右側には、フィードバック用I/Fとしての評価表示欄１２０が配置されている。
【０１４３】
評価表示欄１２０は、問題表示欄１２１、原因表示欄１２２、及び、属性表示欄１２３から構成される。
【０１４４】
問題表示欄１２１は、図１０で説明した、評価の現象（問題点）が項目として登録されたリストを有する選択カテゴリインターフェースであり、評価者は、問題点が項目になっているリストの項目を選択すること（操作）により、評価領域に対する問題点を指定（指摘）することができる。
【０１４５】
原因表示欄１２２は、図１０で説明した、評価の原因（問題点の原因）が項目として登録されたリストを有する選択カテゴリインターフェースであり、評価者は、問題点の原因が項目になっているリストの項目を選択することにより、評価領域に対する問題点の原因を指定することができる。
【０１４６】
属性表示欄１２３は、図１０で説明した、評価の属性（評価の対象のカテゴリ）が項目として登録されたリストを有する選択カテゴリインターフェースであり、評価者は、属性が項目になっているリストの項目を選択することにより、問題点がある評価の対象のカテゴリを指定することができる。
【０１４７】
図１２は、評価ボタン１１１が操作されたときのフィードバックページの表示例を示す図である。
【０１４８】
評価者が、例えば、評価ボタン１１１をクリックし、その後、フィードバックページ上の任意の位置で、さらにクリックを行うと、フィードバックページでは、そのクリックがされた位置付近に、評価領域を指定する矩形の指定枠１３１が表示される。
【０１４９】
さらに、フィードバックページでは、評価ダイアログ１３２が表示（オープン）される。
【０１５０】
指定枠１３１については、例えば、ドラッグによって、横や縦のサイズを変更すること、及び、位置を変更することができる。
【０１５１】
評価者は、指定枠１３１が評価領域を指定するように、指定枠１３１のサイズや位置を変更する。
【０１５２】
評価ダイアログ１３２は、問題入力欄１４１、原因入力欄１４２、及び、属性入力欄１４３を有する。
【０１５３】
問題入力欄１４１、原因入力欄１４２、及び、属性入力欄１４３は、図１１の問題表示欄１２１、原因表示欄１２２、及び、属性表示欄１２３とそれぞれ同様の欄になっている。
【０１５４】
したがって、評価者は、問題入力欄１４１（が有するリスト）の項目を選択することにより、指定枠１３１で指定される評価領域に対する問題点を指定（入力）することができる。
【０１５５】
また、評価者は、原因入力欄１４２の項目を選択することにより、指定枠１３１で指定される評価領域に対する問題点の原因を指定することができ、属性入力欄１４３の項目を選択することにより、指定枠１３１で指定される評価領域上の評価の対象のカテゴリを指定することができる。
【０１５６】
なお、１つの指定枠１３１については、問題入力欄１４１の項目の選択、すなわち、指定枠１３１で指定される評価領域に対する問題点の入力は、必須であるが、原因入力欄１４２、及び、属性入力欄１４３の項目の選択は、任意である。
【０１５７】
図１３は、図１２の問題入力欄１４１、原因入力欄１４２、及び、属性入力欄１４３の項目が選択され、評価ダイアログ１３２がクローズ（消去）されたときのフィードバックページの表示例を示す図である。
【０１５８】
問題表示欄１２１、原因表示欄１２２、及び、属性表示欄１２３では、図１２で問題入力欄１４１、原因入力欄１４２、及び、属性入力欄１４３から選択された項目に対応する項目が反転表示される。
【０１５９】
図１４は、フィードバックページの他の表示例を示す図である。
【０１６０】
評価領域としては、複数の領域を指定することができる。図１４では、３つの評価領域を指定する３つの指定枠１３１が表示されている。
【０１６１】
図１５は、フィードバックページの、さらに他の表示例を示す図である。
【０１６２】
図１１では、電子ペーパープロトタイプとして、画面イメージ１０１が表示されているが、図１５では、電子ペーパープロトタイプとして、遷移イメージ１５１が表示されている。
【０１６３】
遷移イメージ１５１については、画面イメージ１０１と同様に、指定枠１３１を配置して、評価領域を指定することができる。
【０１６４】
なお、図１５では、電子ペーパープロトタイプとして、遷移イメージ１５１が、画面イメージ１０１とともに表示されているが、遷移イメージ１５１だけを表示することが可能である。
【０１６５】
図１６は、図７のフィードバックデータ生成送信部６５が生成するフィードバックデータの例を示す図である。
【０１６６】
なお、図１６では、図６の仕様分析データの場合と同様に、フィードバックデータを、表形式で表しており、１レコード（１行）のデータが、（１つの）指定枠１３１によって指定される１つの評価領域のフィードバックデータになっている。
【０１６７】
１つの評価領域のフィードバックデータには、そのフィードバックデータを特定するユニークなIDであるフィードバックIDが割り当てられ、複数の種類のデータが含まれる。
【０１６８】
１つの評価領域のフィードバックデータに含まれるデータの種類（データ種類）には、"Screen ID"，"Location"，"Type"，"Reason"，"Result"等がある。
【０１６９】
"Screen ID"は、対応する評価領域（その"Screen ID"を含むフィードバックデータにおいて、評価と対応付けられている評価領域）が指定された画面イメージ１０１を特定する画面ID（図６）を表す。
【０１７０】
"Location"は、対応する評価領域を指定する指定枠１３１の、画面イメージ１０１上の相対的な位置を表す位置情報である。
【０１７１】
指定枠１３１の位置情報としては、例えば、画面イメージ１０１の左上の点を基準（原点）とする、指定枠１３１としての矩形の上の境界のx座標top、左の境界のy座標left、下の境界のy座標bottom、及び、右の境界のx座標を採用することができる。その他、指定枠１３１の位置情報としては、指定枠１３１としての矩形の上の境界のx座標top、及び、左の境界のy座標left、並びに、指定枠１３１としての矩形の横方向（x方向）及び縦方向（y方向）それぞれの長さを採用することができる。
【０１７２】
"Type"，"Reason"、及び、"Result"は、それぞれ、評価の属性（評価の対象のカテゴリ）、評価の原因（評価の対象の問題点の原因）、及び、評価の現象（評価の対象の問題点）を表す。
【０１７３】
１つの評価領域のフィードバックデータには、以上のように、評価領域（評価領域を指定する指定枠１３１の位置情報である"Location"と、その評価領域が指定された画面イメージ１０１の画面IDである"Screen ID"）と、その評価領域に対する評価（評価の属性、原因、及び、現象を表す"Type"，"Reason"、及び、"Result"）とが含められることにより、対応付けられている。
【０１７４】
［サーバ１３の機能的構成例］
【０１７５】
図１７は、図１のサーバ１３の機能的な構成例を示すブロック図である。
【０１７６】
サーバ１３は、CPU２２（図４）がプログラムを実行することにより、等価的に、図１７の機能的構成となって、各種の処理を行う。
【０１７７】
図１７において、サーバ１３は、webサーバ８１、フィードバックデータ記憶部８２、及び、データ分析部８３を有する。
【０１７８】
webサーバ８１には、端末１１（図５）で得られる仕様分析データが、ネットワーク１０（図１）を介して提供される。
【０１７９】
webサーバ８１は、端末１１からの仕様分析データを記憶し、例えば、端末１２（図７）のwebブラウザ６３からの要求に応じて、仕様分析データを提供するwebページを、ネットワーク１０を介して、端末１２に送信する。
【０１８０】
フィードバックデータ記憶部８２は、端末１２（図７）のフィードバックデータ生成送信部６５が送信するフィードバックデータを、ネットワーク１０を介して取得（受信）して記憶する。
【０１８１】
データ分析部８３は、フィードバックデータ記憶部８２に記憶されたフィードバックデータを分析し、その結果得られるフィードバック分析情報を、ネットワーク１０を介して、端末１１や端末１２に送信（提供）する。
【０１８２】
以上のように構成されるサーバ１３では、webサーバ８１が、端末１１からネットワーク１０を介して送信されてくる仕様分析データを受信し、端末１２からの要求に応じて、仕様分析データを提供するwebページを、ネットワーク１０を介して、端末１２に送信する。
【０１８３】
一方、フィードバックデータ記憶部８２が、多数の評価者の端末１２から、ネットワーク１０を介して送信されてくるフィードバックデータを受信して記憶する。
【０１８４】
そして、データ分析部８３が、フィードバックデータ記憶部８２に記憶されたフィードバックデータを分析する。
【０１８５】
データ分析部８３でのフィードバックデータの分析では、フィードバックデータの統計的な分析による製品の仕様の問題点の抽出と、各問題点を発生させる原因の特定とが行われる。
【０１８６】
すなわち、フィードバックデータの分析では、フィードバックデータに含まれる評価領域（を指定する指定枠１３１の位置情報）に基づいて、製品の画面のどの表示部分に対する問題点の指定が多いのか（問題点の指摘の数が所定の閾値以上の部分）が分析（特定）される。
【０１８７】
さらに、フィードバックデータの分析では、フィードバックデータに含まれる評価に基づいて、評価者からの指摘が多い問題点（の項目）、さらには、問題点の原因が分析される。
【０１８８】
なお、データ分析部８３では、さらに、例えば、様々な事項を原因とする問題点の改善策の具体例のリストである改善策リストを、事前に用意しておき、評価者からの指摘が多い問題点の原因について、改善策リストに基づき、問題点の改善の方向性を求めることを、フィードバックデータの分析として行うことができる。
【０１８９】
データ分析部８３は、フィードバックデータの分析によって得られるフィードバック分析情報を、ネットワーク１０を介して、端末１１に送信する。
【０１９０】
端末１１（図５）では、上述したように、表示部５３において、サーバ１３（のデータ分析部８３）からのフィードバック分析情報が表示（提示）される。
【０１９１】
端末１１を操作する設計者は、フィードバック分析情報を参照することにより、製品の現在の仕様の問題点と、その原因とを、即座に把握することができる。
【０１９２】
すなわち、従来、製品の操作性その他の仕様の評価、及び、その評価に基づく仕様の修正は、製品の試作機としての実機をコストをかけて製作した後でなければ実施することが困難であったが、図１のフィードバックシステムによれば、実機を製作するには至っていない仕様の設計（検討）段階でも、製品の操作性等の評価を行い、その評価に基づく仕様の修正を行うことができる。
【０１９３】
［フィードバックシステムの処理］
【０１９４】
図１８は、図１のフィードバックシステムの処理を説明する図である。
【０１９５】
ステップＳ１１において、端末１１は、設計者の操作に応じて、製品の仕様の仕様データを生成し、ステップＳ１２において、その仕様データを分析する。
【０１９６】
さらに、ステップＳ１３において、端末１１は、仕様データの分析の結果得られる仕様分析データを、ネットワーク１０を介して、サーバ１３に送信する。
【０１９７】
サーバ１３は、端末１１からの仕様分析データを受信する。
【０１９８】
そして、ステップＳ３１において、サーバ１３は、端末１２からの要求に応じて、仕様分析データ（を含むwebページ）を、ネットワーク１０を介して、端末１２に送信する。
【０１９９】
端末１２は、サーバ１３からの仕様分析データを受信する。
【０２００】
そして、ステップＳ２１において、端末１２は、仕様分析データを分析し、ステップＳ２２において、仕様分析データの分析結果から、電子ペーパープロトタイプのデータであるプロトタイプデータを生成するとともに、フィードバック用I/Fを生成する。
【０２０１】
ステップＳ２３において、端末１２は、プロトタイプデータ、及び、フィードバック用I/Fに従って、電子ペーパープロトタイプとしての表示イメージが映った、その表示イメージに対する評価を入力するためのwebページであるフィードバックページを表示する。
【０２０２】
その後、端末１２は、フィードバックページを見た評価者が端末１２を操作するのを待って、ステップＳ２４において、その操作によって入力される入力データとしての、評価領域と、その評価領域に対する評価とを取得して、一時記憶する。
【０２０３】
ステップＳ２５において、端末１２は、評価領域と、その評価領域に対する評価とを対応付けたフィードバックデータを生成し、ステップＳ２６において、そのフィードバックデータを、ネットワーク１０を介して、サーバ１３に送信する。
【０２０４】
サーバ１３は、端末１２からのフィードバックデータを受信し、ステップＳ３２において、端末１２からのフィードバックデータを記憶する。
【０２０５】
ステップＳ３３において、サーバ１３は、多数の端末１２から受信したフォードバックデータを分析し、ステップＳ３４において、その結果得られるフィードバック分析情報を、ネットワーク１０を介して、端末１１に送信する。
【０２０６】
端末１１は、サーバ１３からのフィードバック分析情報を受信し、ステップＳ１４において、そのフィードバック分析情報を表示する。
【０２０７】
以上のように、端末１２（図７）では、webブラウザ６３（表示部）で表示される、製品で行われる表示に関する表示イメージについてユーザが入力する、評価を行う対象の評価領域と、評価領域に対する評価とを取得し、その評価領域と、評価領域に対する評価とを対応付けたフィードバックデータを、サーバ１３に送信するので、サーバ１３において、製品の評価を、多くの評価者から、容易に収集することができる。
【０２０８】
また、図１のフィードバックシステムでは、仕様のドキュメント（仕様データ）から、自動で製品のシミュレータ（電子ペーパープロトタイプ）が生成され、インターネット等のネットワーク１０を通じて公開される。さらに、フィードバックシステムでは、シミュレータを体験した評価者からの評価を簡単に集めることができ、それらの評価を分析して、フィードバックデータを製品の仕様の修正に効率的に使用することができるデータ（フィードバック分析情報）に進化させることができる。したがって、フィードバックシステムによれば、製品の仕様の効率的な修正を行うことができるプロセスを構築することができる。
【０２０９】
また、フィードバックシステムでは、設計者による製品の仕様の検討段階から、Webブラウザで閲覧可能な電子ペーパープロトタイプ（製品の画面の移り変わりを観察することができる電子的なペーパープロトタイプ）を自動で生成することができる。
【０２１０】
さらに、フィードバックシステムによれば、製品の表示イメージを、webブラウザで閲覧することができるので、今まで困難であった仕様の（検討）状況を簡単に多人数で共有することができる。
【０２１１】
また、従来の実機のプロトタイプでは、評価者は、仕様のドキュメントを読んで、プロトタイプの動作を理解する必要があるが、フィードバックシステムによれば、webブラウザに表示される電子ペーパープロトタイプにより、評価者は、画面の遷移等の動きを、直接目で見て確認し、仕様を容易に理解することができる。
【０２１２】
さらに、フィードバックシステムでは、評価に特化したフィードバック用I/Fにより、評価者は、製品の仕様の問題点等の評価を、容易に入力することができる。
【０２１３】
また、フィードバックシステムでは、フィードバック用I/Fにおいて、評価となる項目が登録されたリストを事前に準備し、そのリストから項目を選択することで、評価を入力することができるので、評価者は、評価を、容易に入力することができる。
【０２１４】
さらに、フィードバックシステムでは、フィードバックデータが、問題点の洗い出しやその原因を特定するために自動的に分析され、その結果得られるフィードバック分析情報が、設計者に提示されるので、製品の操作性等を、効率的に向上させることができる。
【０２１５】
また、従来では、製品の設計の開始からプロトタイプとしての実機が完成するまでは、製品の操作性等の評価を実施するのが難しかったが、フィードバックシステムによれば、プロトタイプとしての実機がなく、製品の仕様のドキュメントしかない状態であっても、製品の画面の遷移を確認することができる。
【０２１６】
さらに、従来では、製品の操作性等の評価のために、多くの評価者を一カ所に集め、高いコストをかけて、製品の評価を実施していたが、フィードバックシステムによれば、webブラウザで表示される電子ペーパープロトタイプにより、評価者は、一カ所に集まらなくても、ネットワークに接続することができる環境であれば、製品の評価を行うことができる。
【０２１７】
また、フィードバックシステムによれば、電子ペーパープロトタイプの表示に、広範に使われているwebブラウザを使用することができるので、製品の評価のための専用のアプリケーションや特殊な機材等の準備をする必要がなく、その結果、製品の評価のための準備時間をほとんど必要としないで、製品の評価を実施することができる。したがって、製品の操作性等の評価では理想的な状態である、頻繁に評価を繰り返すという状態を容易に実現することができる。
【０２１８】
さらに、フィードバックシステムでは、従来は必須であった、評価者に、製品の評価のインタビューや、プロトタイプとしての実機の操作の指導等を行う役目のモデレータ（補助者）を用意する必要がない。
【０２１９】
また、従来では、評価者から得られる評価が、形式無しのテキスト文章や、特定のアンケートに対する回答であったため、ユーザが実際に感じている問題点等の評価を特定するための分析には専門性を要したが、フィードバックシステムでは、評価者が、評価となる項目が登録されたリストの中から、評価としての項目を選択するので、評価者の評価を容易に特定することができる。
【０２２０】
なお、フィードバックシステムにおいては、フィードバック用I/Fにおいて、問題点を改善する改善方針の項目が登録されたリストを表示し、評価者に、そのリストから、問題点の改善方針となる項目を選択してもらうことができる。さらに、この場合、多くの評価者が選択した改善方針を、フィードバック分析情報に含め、設計者に提示することができる。
【０２２１】
また、フィードバックシステムには、評価者が、他の評価者のフィードバックデータ（評価）を閲覧し、他の評価者による評価に賛同するかどうか等を選択することができる選択機能をつけることができる。この場合、他の評価者による評価の客観性を高めることができる。
【０２２２】
さらに、フィードバックシステムでは、端末１１において、フィードバック分析情報を表示するだけでなく、編集アプリケーション５１（図５）で作成された画面遷移図等にリンクさせること、すなわち、例えば、フィードバック分析情報から特定される評価領域を、編集アプリケーション５１で作成された画面遷移図に反映させることができる。
【０２２３】
この場合、フィードバックシステムにおいて、画面遷移図に記述されている画面の遷移のパターンと、評価の多さとの関係を取得し、設計者が、問題点として評価されることが多い可能性があるパターンの遷移が記述された画面遷移図を作成したときには、設計者に、その旨を報知することができる。これにより、設計者は、事前に、問題点として評価されることが多い可能性があるパターンの遷移に対処することができる。
【０２２４】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２２５】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２２６】
なお、本技術の実施の形態は、上述した実施の形態に限定されるものではなく、本技術の要旨を逸脱しない範囲において種々の変更が可能である。
【０２２７】
すなわち、本技術においては、例えば、タブレット端末や、TV（テレビジョン受像機）等の、UIその他の表示を行う表示装置を、評価の対象となる製品として採用することができる。
【０２２８】
また、本技術は、以下のような構成をとることもできる。
【０２２９】
［１］
表示部で表示される、製品で行われる表示に関する表示イメージについてユーザが入力する、評価を行う対象の領域である評価領域と、前記評価領域に対する評価とを取得する取得部と、
前記評価領域と、前記評価領域に対する評価とを対応付けたデータであるフィードバックデータを送信する送信部と
を備える情報処理装置。
［２］
前記表示イメージは、前記製品の仕様のデータから生成される
［１］に記載の情報処理装置。
［３］
前記製品の仕様のデータから、前記表示イメージのデータを生成する生成部をさらに備える
［１］又は［２］に記載の情報処理装置。
［４］
前記表示部は、webブラウザであり、
前記生成部は、前記webブラウザで表示可能な前記表示イメージのデータを生成する
［３］に記載の情報処理装置。
［５］
前記表示イメージは、前記製品で表示されるUI(User Interface)の画面のイメージである画面イメージ、又は、画面の遷移を表すイメージである遷移イメージである
［１］ないし［４］のいずれかに記載の情報処理装置。
［６］
前記評価は、前記評価領域に対する問題点を、少なくとも含む
［１］ないし［５］のいずれかに記載の情報処理装置。
［７］
表示部で表示される、製品で行われる表示に関する表示イメージについてユーザが入力する、評価を行う対象の領域である評価領域と、前記評価領域に対する評価とを取得し、
前記評価領域と、前記評価領域に対する評価とを対応付けたデータであるフィードバックデータを送信する
ステップを含む情報処理方法。
［８］
表示部で表示される、製品で行われる表示に関する表示イメージについてユーザが入力する、評価を行う対象の領域である評価領域と、前記評価領域に対する評価とを取得する取得部と、
前記評価領域と、前記評価領域に対する評価とを対応付けたデータであるフィードバックデータを送信する送信部と
して、コンピュータを機能させるためのプログラム。
【符号の説明】
【０２３０】
１０  ネットワーク，  １１，１２  端末，  １３  サーバ，  ２１  バス，  ２２  CPU，  ２３  ROM，  ２４  RAM，  ２５  ハードディスク，  ２６  出力部，  ２７  入力部，  ２８  通信部，  ２９  ドライブ，  ３０  入出力インターフェース，  ３１  リムーバブル記録媒体，  ５１  編集アプリケーション，  ５２  仕様データ分析部，  ５３  表示部，  ６１  データ分析部，  ６２  プロトタイプデータ生成部，  ６３  webブラウザ，  ６４  入力データ取得記憶部，  ６５  フィードバックデータ生成送信部，  ６６  表示部，  ８１  webサーバ，  ８２  フィードバックデータ記憶部，  ８３  データ分析部，  １０１  画面イメージ，  １０２  代用ボタン，  １１１  評価ボタン，  １１２  リセットボタン，  １１３  表示切り替えボタン，  １２０  評価表示欄，  １２１  問題表示欄，  １２２  原因表示欄，  １２３  属性表示欄，  １３１  指定枠，  １３２  評価ダイアログ，  １４１  問題入力欄，  １４２  原因入力欄，  １４３  属性入力欄，  １５１  遷移イメージ
【図１】
2012256158.tif 000003
【図２】
2012256158.tif 000004
【図３】
2012256158.tif 000005
【図４】
2012256158.tif 000006
【図５】
2012256158.tif 000007
【図６】
2012256158.tif 000008
【図７】
2012256158.tif 000009
【図８】
2012256158.tif 000010
【図９】
2012256158.tif 000011
【図１０】
2012256158.tif 000012
【図１１】
2012256158.tif 000013
【図１２】
2012256158.tif 000014
【図１３】
2012256158.tif 000015
【図１４】
2012256158.tif 000016
【図１５】
2012256158.tif 000017
【図１６】
2012256158.tif 000018
【図１７】
2012256158.tif 000019
【図１８】
2012256158.tif 000020